(57)【要約】【課題】サイズが異なる画像が混在した順で並んだ画像を記録する場合、余計な予備吐出が生じ、連続シートへの画像の記録可能枚数が減ったり、記録スループットが低減する。【解決手段】シートを搬送しながらフルライン記録ヘッドを用いてシートにインクを吐出し複数の画像を記録する記録装置において、次の制御を実行する。まず、ホスト装置から入力された画像データからどのようなサイズの画像が前記シートのどのような位置に記録されるのかを解析し、該解析の結果に従って、どのような種類の予備吐出が必要であるかどうかを判断する。次に、必要とされる予備吐出の種類に従った予備吐出のためのデータを画像データに追加し、フルライン記録ヘッドが用いる記録データを作成する。そして、作成された記録データに基づいて、フルライン記録ヘッドより記録を行うよう制御する。【選択図】  図８
2014079951.tif 000002
【特許請求の範囲】
【請求項１】
シートを搬送しながらフルライン記録ヘッドを用いて前記シートにインクを吐出し複数の画像を記録する記録装置であって、
ホスト装置から画像データを入力する入力手段と、
前記入力手段により入力された画像データからどのようなサイズの画像が前記シートのどのような位置に記録されるのかを解析し、該解析の結果に従って、どのような種類の予備吐出が必要であるかどうかを判断する判断手段と、
前記判断手段により判断され、前記必要とされる予備吐出の種類に従った予備吐出のためのデータを前記画像データに追加し、前記フルライン記録ヘッドが用いる記録データを作成する作成手段と、
前記作成手段により作成された記録データに基づいて、前記フルライン記録ヘッドより記録を行うよう制御する制御手段とを有することを特徴とする記録装置。
【請求項２】
前記複数の画像は、前記シートの搬送方向と前記シートの搬送方向とは垂直の方向であるシートの幅方向に関して異なる位置に記録され、
前記複数の画像は、前記シートの幅方向に異なるサイズであることを特徴とする請求項１に記載の記録装置。
【請求項３】
前記予備吐出は、
前記シートの搬送方向に関して記録される複数の画像の間に、前記フルライン記録ヘッドの全てのノズルを用いて行う通常予備吐と、
記録される画像の前記シートの幅方向に関する幅が前記シートの幅より短い場合に、前記シートの幅方向に関し当該画像が記録されない余白の領域に、前記フルライン記録ヘッドの一部のノズルを用いて行う部分予備吐とを含み、
前記判断手段は、前記通常予備吐が必要であるか、或いは、前記部分予備吐が必要であるかを判断することを特徴とする請求項１又は２に記載の記録装置。
【請求項４】
前記判断手段は、
前記シートの幅方向には１つの画像が記録される場合には、前記複数の画像それぞれについて前記判断を行い、
前記シートの幅方向に複数の画像が記録される場合には、前記シートの幅方向の複数の画像を１つの群とみなし、群の単位に前記判断を行うことを特徴とする請求項３に記載の記録装置。
【請求項５】
前記シートの幅方向には１つの画像が記録される場合であって、連続する複数の画像の記録幅が同じであり、かつ、前記記録幅と前記シートの幅とが同じである場合には、
前記判断手段は、前記解析の結果に従って、前記通常予備吐の必要を判断することを特徴とする請求項４に記載の記録装置。
【請求項６】
前記シートの幅方向には１つの画像が記録される場合であって、連続する複数の画像の記録幅が同じでないことと、前記記録幅と前記シートの幅とが同じではないことの内の少なくともいずれかの場合には、
前記判断手段は、前記解析の結果に従って、前記部分予備吐の必要を判断することを特徴とする請求項４に記載の記録装置。
【請求項７】
前記シートの幅方向には複数の画像が記録される場合であって、連続する複数の画像群の記録幅が同じであり、かつ、前記記録幅と前記シートの幅とが同じである場合には、
前記判断手段は、前記解析の結果に従って、前記通常予備吐の必要を判断することを特徴とする請求項４に記載の記録装置。
【請求項８】
前記シートの幅方向には複数の画像が記録される場合であって、連続する複数の画像群の記録幅が同じでないことと、前記記録幅と前記シートの幅とが同じではないこととの内の少なくともいずれかの場合には、
前記判断手段は、前記解析の結果に従って、前記部分予備吐の必要を判断することを特徴とする請求項４に記載の記録装置。
【請求項９】
前記判断手段は、前記シートの搬送方向に関し前記余白の領域より以前に記録するのに用いた記録データに基づいて、前記余白の領域を複数の領域に分割し、前記分割された領域ごとに部分予備吐が必要かどうかを判断することを特徴とする請求項３に記載の記録装置。
【請求項１０】
前記フルライン記録ヘッドは複数、備えられ、
前記複数のフルライン記録ヘッドから異なる色のインクを吐出することを特徴とする請求項１乃至９のいずれか１項に記載の記録装置。
【請求項１１】
シートを搬送しながらフルライン記録ヘッドを用いて前記シートにインクを吐出し複数の画像を記録する記録装置における記録制御方法であって、
ホスト装置から画像データを入力する入力工程と、
前記入力工程において入力された画像データからどのようなサイズの画像が前記シートのどのような位置に記録されるのかを解析し、該解析の結果に従って、どのような種類の予備吐出が必要であるかどうかを判断する判断工程と、
前記判断工程において判断され、前記必要とされる予備吐出の種類に従った予備吐出のためのデータを前記画像データに追加し、前記フルライン記録ヘッドが用いる記録データを作成する作成工程と、
前記作成工程において作成された記録データに基づいて、前記フルライン記録ヘッドより記録を行うよう制御する制御工程とを有することを特徴とする記録制御方法。
【発明の詳細な説明】
【技術分野】
【０００１】
本発明は記録装置及び記録制御方法に関し、特に、例えば、インクジェットフルライン記録ヘッドを備えた記録装置及びその装置の記録制御方法に関する。
【背景技術】
【０００２】
従来、インクジェット記録装置では、記録のためにインク液滴を吐出する小さいノズルの集合体である記録ヘッドを用いて記録を行っている。しかし、この記録ヘッドのノズル孔は非常に小さいため、均一なインク吐出を行い、画像品位を満たすためにはそのノズルが乾かないように一定時間毎に予備吐出するなどの対応が必要となる。
【０００３】
更に、ロール紙のような連続した記録媒体（シート）に対して、そのシート幅と同じ幅のフルライン記録ヘッド（以下、記録ヘッド）を用いて印刷をする場合には、次のような制御を行っていた。即ち、画像品位保持用のパターンを定期的もしくは何かの条件によって、記録する画像間に挿入することで、記録の品位を保つような制御を行っていた。（特許文献１、２）
【先行技術文献】
【特許文献】
【０００４】
【特許文献１】特開２００６−７６２４７号公報
【特許文献２】特開２００７−００１１１８号公報
【発明の概要】
【発明が解決しようとする課題】
【０００５】
さて、実際の画像記録では、画像のサイズがシート幅と同じ画像だけでなく、シートの幅より小さい画像も混在して記録する場合があり、シート幅より小さい画像を記録した後にシート幅と同じ幅の画像を記録することもある。このため、シートの幅より小さい画像を記録した際に、その画像記録に用いたフルライン記録ヘッドの部位は、画像品位保持用のパターンを記録するために必要としない場合がある。
【０００６】
しかしながら上記従来例では、その際にも、画像記録に使用していない部位を含めて記録ヘッドの画像品位保持を行うために、記録ヘッドの記録幅全体にパターンを記録していた。このため、画像品位保持用のパターンが記録画像の間に定期的に記録されるので、連続シートの中に、ユーザにとって記録結果としては不必要な画像品位保持用のパターンが入ってしまう。その結果、連続シートにおける画像の記録可能枚数が減ってしまう。また画像品位保持用のパターンの記録を行うので、実質的な記録のスループットが低下するという問題があった。
【０００７】
本発明は上記従来例に鑑みてなされたもので、予備吐出用のパターンを記録する場合にも、記録スループットが低下することなく良好な記録が可能な記録装置及び記録制御方法を提供することを目的とする。
【課題を解決するための手段】
【０００８】
上記目的を達成するために本発明の記録装置は、次のような構成からなる。
【０００９】
即ち、シートを搬送しながらフルライン記録ヘッドを用いて前記シートにインクを吐出し複数の画像を記録する記録装置であって、ホスト装置から画像データを入力する入力手段と、前記入力手段により入力された画像データからどのようなサイズの画像が前記シートのどのような位置に記録されるのかを解析し、該解析の結果に従って、どのような種類の予備吐出が必要であるかどうかを判断する判断手段と、前記判断手段により判断され、前記必要とされる予備吐出の種類に従った予備吐出のためのデータを前記画像データに追加し、前記フルライン記録ヘッドが用いる記録データを作成する作成手段と、前記作成手段により作成された記録データに基づいて、前記フルライン記録ヘッドより記録を行うよう制御する制御手段とを有することを特徴とする。
【００１０】
また本発明を別の側面から見れば、シートを搬送しながらフルライン記録ヘッドを用いて前記シートにインクを吐出し複数の画像を記録する記録装置における記録制御方法であって、ホスト装置から画像データを入力する入力工程と、前記入力工程において入力された画像データからどのようなサイズの画像が前記シートのどのような位置に記録されるのかを解析し、該解析の結果に従って、どのような種類の予備吐出が必要であるかどうかを判断する判断工程と、前記判断工程において判断され、前記必要とされる予備吐出の種類に従った予備吐出のためのデータを前記画像データに追加し、前記フルライン記録ヘッドが用いる記録データを作成する作成工程と、前記作成工程において作成された記録データに基づいて、前記フルライン記録ヘッドより記録を行うよう制御する制御工程とを有することを特徴とする記録制御方法を備える。
【発明の効果】
【００１１】
従って本発明によれば、画像幅が異なる複数の画像をフルライン記録ヘッドを用いて記録する場合において、シートを有効に用いつつ予備吐出をできるだけ減らす事で記録スループットを向上させつつ、画像品質を保つことができるという効果がある。
【図面の簡単な説明】
【００１２】
【図１】本発明の代表的な実施例である、記録媒体としてロールシートを用いたインクジェット記録装置の内部概略構成を示す側断面図である。
【図２】図１に示す記録装置の制御構成を示すブロック図である。
【図３】シートに記録される画像と記録品位保持パターンの一例を示す図である。
【図４】図３で説明した記録データが実際にシートに記録される例を示す図である。
【図５】記録処理の概要を示すフローチャートである。
【図６】図５のステップＳ４０１のジョブデータ受信の詳細な処理を示すフローチャートである。
【図７】図５のステップＳ４０２の記録データ作成の詳細な処理を示すフローチャートである。
【図８】各画像を記録する場合に画像品位保持用の吐出パターンの記録が必要か不必要かの条件判断を行う処理を示すフローチャートである。
【図９】Ｎ番目の画像（画像Ｎ）とＮ−１番目の画像（画像Ｎ−１）との記録幅とシートの幅との具体的な関係を示す図である。
【図１０】通常予備吐パターンと部分予備吐パターンとを示す図である。
【図１１】シート幅と画像の記録幅との具体的な関係の例を示す図である。
【図１２】複数画像を記録する場合に画像品位保持用の吐出パターンの記録が必要か不必要かの条件判断を行う処理を示すフローチャートである。
【図１３】画像群の具体的な例を示す図である。
【図１４】Ｎ番目の画像群（画像群Ｎ）とＮ−１番目の画像群（画像群Ｎ−１）との記録幅とシートの幅との具体的な関係を示す図である。
【図１５】シート幅と画像群の記録幅との具体的な関係の例を示す図である。
【図１６】どのような種類の予備吐出が必要かを判断する処理を示すフローチャートである。
【図１７】画像間でどのような画像品位保持用のパターンの記録するのかを判断する処理を示すフローチャートである。
【図１８Ａ】、
【図１８Ｂ】、
【図１８Ｃ】、
【図１８Ｄ】、
【図１８Ｅ】、
【図１８Ｆ】、
【図１８Ｇ】、
【図１８Ｈ】注目領域の具体例を示す図である。
【図１９】記録領域の条件設定に用いる操作画面の例を示す図である。
【図２０】ステップＳ１６０９の詳細な処理、即ち、非記録領域において画像品位保持用のパターンがどのように配置されるのかを決定する処理を示すフローチャートである。
【図２１】注目領域の非記録領域に関し、記録方向に対して垂直方向に複数の記録状態がある様子を示す図である。
【発明を実施するための形態】
【００１３】
以下添付図面を参照して本発明の好適な実施例について、さらに具体的かつ詳細に説明する。なお、既に説明した部分には同一符号を付し重複説明を省略する。
【００１４】
なお、この明細書において、「記録」（「プリント」という場合もある）とは、文字、図形等有意の情報を形成する場合のみならず、有意無意を問わない。また人間が視覚で知覚し得るように顕在化したものであるか否かを問わず、広く記録媒体上に画像、模様、パターン等を形成する、または媒体の加工を行う場合も表すものとする。
【００１５】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００１６】
さらに、「インク」（「液体」と言う場合もある）とは、上記「記録（プリント）」の定義と同様広く解釈されるべきものである。従って、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００１７】
またさらに、「ノズル」とは、特にことわらない限り吐出口ないしこれに連通する液路およびインク吐出に利用されるエネルギーを発生する素子を総括して言うものとする。
【００１８】
以下に用いる記録ヘッド用基板（ヘッド基板）とは、シリコン半導体からなる単なる基体を指し示すものではなく、各素子や配線等が設けられた構成を差し示すものである。
【００１９】
さらに、基板上とは、単に素子基板の上を指し示すだけでなく、素子基板の表面、表面近傍の素子基板内部側をも示すものである。また、本発明でいう「作り込み（built-in）」とは、別体の各素子を単に基体表面上に別体として配置することを指し示している言葉ではなく、各素子を半導体回路の製造工程等によって素子板上に一体的に形成、製造することを示すものである。
【００２０】
次に、インクジェット記録装置の実施例について説明する。この記録装置は、ロール状に巻かれた連続シート（記録媒体）を使用し、片面記録及び両面記録の両方に対応した高速ラインプリンタであり。例えば、プリントラボ等における大量枚数のプリント分野に適している。
【００２１】
図１は本発明の代表的な実施例である、記録媒体としてロールシートを用いたインクジェット記録装置（以下、記録装置）の内部概略構成を示す側断面図である。
【００２２】
なお、図１では、記録機能のみを備えた装置構成を示しているが、原稿上の画像を読取るスキャナ機能やファクシミリ機能などをさらに備えた多機能プリンタとして機能するものとしてもよい。
【００２３】
また、図１では記録媒体としてロールシートを用いたものを例に説明するが、同一面への複数ページ分の記録を途中で切断せずに続けて行える長尺の連続シートであれば、ロール状となったものには限らない。また、連続シートの切断は、記録装置が自動的に切断するものであってもよいし、ユーザがマニュアル指示により切断するものであってもよい。また、記録装置は、連続シートへの記録のみではなく、所定のサイズのカットシートへの記録をも可能な記録装置としてもよい。
【００２４】
さらに、記録媒体については紙に限定されるものではなく上述のように、記録可能なものであれば種々のものを用いることができる。
【００２５】
またさらに、記録方式は液体インクを用いたインクジェット方式により限定されるものではなく、記録剤として固形インクを用いてもよいし、トナーを用いた電子写真方式や昇華方式など種々のものを採用可能である。またさらに、複数色の記録剤を用いたカラー記録を行うものには限らず、黒色（グレーを含む）のみによるモノクロ記録を行うものとしてもよい。
【００２６】
また、図１に示す記録装置と接続された外部装置からの指示でこの記録装置における記録動作を制御させる場合には、この外部装置が記録制御装置となる。
【００２７】
さて、図１に示す記録装置は、以下の構成要素１０１〜１１５を含み、これらが１つの筐体内に配置される。ただし、これらの構成要素を複数の筐体に分けて構成してもよい。制御ユニット１０８は、コントローラ（ＣＰＵまたはＭＰＵを含む）やユーザインタフェース情報の出力器（表示情報や音響情報などの発生器）、各種Ｉ／Ｏインタフェースを備えた制御部を内蔵し、記録装置全体の各種制御を司る。
【００２８】
ロールシートユニットとして上段シートカセット１０１ａと下段シートカセット１０１ｂの２基を備える。ユーザはロールシート（以下、シート）をマガジンに装着してから記録装置本体に装填する。上段シートカセット１０１ａから引き出されたシートは図中ａ方向に、下段シートカセット１０１ｂから引き出されたシートは図中ｂ方向にそれぞれ搬送される。いずれのカセットからのシートも図中ｃ方向に進行して搬送ユニット１０２に到達する。搬送ユニット１０２は、複数の回転ローラ１０４を通して記録処理中にシートを図中ｄ方向（水平方向）に搬送する。給紙元のシートカセットを一方から他方に切り替える際は、既に引き出されているシートをカセット内に巻き戻し、新たに給紙させるシートがセットされているカセットから新たに給紙する。
【００２９】
搬送ユニット１０２の上方にはヘッドユニット１０５が搬送ユニット１０２と対向して配置される。ヘッドユニット１０５では複数色（この実施例では７色）分の独立した記録ヘッド１０６がシートの搬送方向に沿って保持されている。この例ではＣ（シアン）、Ｍ（マゼンタ）、Ｙ（イエロ）、ＬＣ（ライトシアン）、ＬＭ（ライトマゼンタ）、Ｇ（グレー）、Ｋ（ブラック）の７色に対応した７つの記録ヘッドを有する。もちろん、これら以外の色を用いたものでもよいし、これらの全てを用いる必要もない。記録装置は、搬送ユニット１０２によるシートの搬送に同期させて、記録ヘッド１０６からインクを吐出させてシート上に画像を形成する。
【００３０】
なお、記録ヘッド１０６はインクの吐出先が回転ローラ１０４と重ならない位置に配置される。インクはシートに直接吐出させるのに代え、中間転写体にインクを付与した後、そのインクをシートに付与することによって画像を形成させるものとしてもよい。これら搬送ユニット１０２、ヘッドユニット１０５、記録ヘッド１０６を含んで印刷ユニットが構成されている。
【００３１】
インクタンク１０９は各色のインクを独立して貯蔵する。インクタンク１０９からはチューブによって各色に対応して設けられたサブタンクまでインクが供給され、サブタンクから各記録ヘッド１０６までチューブを介してインクが供給される。記録ヘッド１０６は、記録時の搬送方向ｄ方向に沿って各色（この実施例では７色）のフルライン記録ヘッドが並んでいる。各色インクに対応したフルライン記録ヘッドは、継ぎ目無く単一のノズルチップで形成されたものであってもよいし、分割されたノズルチップが一列又は千鳥配列のように規則的に並べられたものであってもよい。
【００３２】
この実施例では、記録装置が使用可能な最大サイズのシートの記録領域の幅分をカバーする範囲にノズルが並んでいる所謂フルライン記録ヘッドを用いる。ノズルからインクを吐出するインクジェット方式は、発熱素子を用いた方式、ピエゾ素子を用いた方式、静電素子を用いた方式、ＭＥＭＳ素子を用いた方式等を採用することができる。画像データに基づいて各フルライン記録ヘッド（以下、記録ヘッド）のノズルからインクが吐出されるが、吐出のタイミングは搬送用エンコーダ１０３の出力信号によって決定される。
【００３３】
シートに画像が形成された後、当該シートは搬送ユニット１０２から、スキャナユニット１０７まで搬送される。スキャナユニット１０７では、シート上の記録画像や特殊パターンを光学的に読取って記録画像に問題がないかどうかの確認や、インクの吐出状態を含む記録装置の状態確認等を行う。この画像の確認方法は、記録ヘッドの状態の確認するためのパターンを読み込むことによるインクの吐出状態を確認するものでもよいし、元画像との比較を行うことによる記録の成否を確認するものでもよい。確認の方法は種々のものの中から適宜選択することが可能である。
【００３４】
シートはスキャナユニット１０７近傍からｅ方向に搬送され、カッタユニット１１０に導入される。カッタユニット１１０ではシートを所定の記録単位の長さ毎に切断する。記録する画像サイズに応じて、この所定の記録単位の長さは異なる。例えば、Ｌ版サイズの写真では搬送方向の長さは１３５ｍｍ、Ａ４サイズでは搬送方向の長さは２９７ｍｍとなる。
【００３５】
カッタユニット１１０は、片面印刷の場合はページ単位でシートを切断するが、印刷ジョブの内容によってはページ単位で切断しない場合もある。また、カッタユニット１１０は両面印刷の場合、シートの第１面（例えば、表（おもて）面）はページ単位で切断せずに所定の長さ分まで画像を連続して記録し、第２面（例えば、裏面）に記録した場合にページ単位で切断する。なお、カッタユニット１１０は、片面印刷や両面印刷の裏面印刷に際し、１枚の画像毎に切断するものに限らない。所定の長さ分搬送されるまで切断せず、所定の長さまで搬送された後で切断し、１枚（１頁）の画像毎に切り離すのは別のカッタ装置で手動操作等によって切断するものとしてもよい。またシートの幅方向に関しては、切断が必要な場合、別のカッタ装置を用いて切断することになる。
【００３６】
カッタユニット１１０から搬送されたシートは、ユニット内を図中ｆ方向に搬送され、裏面記録ユニット１１１に搬送される。裏面記録ユニット１１１は、シートの片面のみに画像を印刷する場合に、シートの裏面に所定の情報を記録させるためのユニットである。シートの裏面に記録する情報としては、記録画像毎に対応した文字、記号、コード等の情報（例えば、オーダ管理用番号等）が含まれる。裏面記録ユニット１１１は、記録ヘッド１０６が両面印刷の印刷ジョブのための画像を記録する場合、記録ヘッド１０６が画像を記録する領域以外に上記のような情報を記録する。裏面記録ユニット１１１には、記録剤の押印、熱転写、インクジェットなどの記録方式を採用可能である。
【００３７】
裏面記録ユニット１１１を通ったシートは、次に乾燥ユニット１１２に搬送される。乾燥ユニット１１２は、インクが付与されたシートを短時間で乾燥させるために、ユニット内を図中ｇ方向に通過するシートを温風（加温された気体（空気））で加熱するユニットである。なお、乾燥の方法は温風を用いるのに代え、冷風、ヒータによる加温、待機させることのみによる自然乾燥、紫外光等の電磁波の照射など種々のものも採用可能である。記録単位長さに切断されたシートは１枚ずつ乾燥ユニット１１２内を通過して、図中ｈ方向に搬送されて仕分けユニット１１４に搬送される。
【００３８】
仕分けユニット１１４は、複数のトレー（この実施例では１８個）を保持しており、記録単位の長さ等に応じてシートの排紙先のトレーを区別する。各トレーにはトレー番号が割り当てられている。仕分けユニット１１４では、ユニット内を図中ｉ方向に通過するシートを、各トレー上に設けられたセンサでトレーの空きやシートが満載か否かなどを確認しながら記録画像毎に設定されたトレー番号に対応するトレーに排紙していく。切断されたシートの排出先となるトレーは、印刷ジョブの発行元（ホスト装置）で特定のものが指定される場合や、記録装置側で空いているトレーが任意に指定される場合がある。
【００３９】
１つのトレーには予め決められた枚数まで排紙可能である。この予め決められた枚数を超える印刷ジョブの場合、複数のトレーに跨って排紙される。トレーに対して排紙可能なシートの枚数やサイズ、種類などは、そのトレーの大きさ（タイプ）等によって異なっている。
【００４０】
図１において、縦（上下）に並んでいるトレー（以下、大トレー）は大サイズ（Ａ４サイズ等、Ｌ版サイズより大きいもの）のシート、小サイズ（Ｌ版サイズ）のシートの排紙が可能である。また、横（左右）に並んでいるトレー（以下、小トレー）は小サイズ（Ｌ版サイズ）のシートの排紙が可能であるが大サイズのシートの排紙はできない。そして、大トレーの方が小トレーより排紙可能なシートの出力枚数が多い。また、シート排紙中や排紙完了等の状態は、例えば、ＬＥＤ等の表示器を用いてユーザが識別可能にする。例えば、トレー夫々に互いに異なる色で発光する複数のＬＥＤを設け、点灯ＬＥＤの色や点灯状態か点滅状態かなどによって各トレーの種々の状態をユーザに通知可能である。
【００４１】
また、複数のトレーのそれぞれには優先順位を付すことができ、記録装置は、印刷ジョブを実行するにあたり、空いている（シートが存在しない）トレーを、優先順位に従って順にシートの排出先として割り当てていく。デフォルトでは、大トレーは上のトレーほど優先順位が高く、小トレーは左側ほど優先順位が高い。また大トレーより、小トレーの優先順位が高い。この優先順位はユーザがシートを取り出しやすい位置の優先順位を高くしてやればよいが、ユーザによる操作等で適宜変更可能なものとする。
【００４２】
シート巻取りユニット１１３は、ページ毎に切断されずにおもて面に記録されたシートの巻取りを行う。両面印刷の際にはまずおもて面に画像記録が行われたシートを、カッタユニット１１０でページ単位では切断せず、連続したおもて面の記録が終了した後に切断する。おもて面が記録されたシートは、ユニット内を図中のｊ方向に通過し、シート巻取りユニット１１３が巻取る。そして、一連のページ分のおもて面の画像記録が終了して、巻き取られたシートは、先のおもて面とは反対面を記録可能な面にして、即ち、記録ヘッド１０６に対向させる面を反転させて、再度ユニットの図中のｋ方向に搬送される。このように搬送させることで、先のおもて面とは反対の裏面に画像記録を行わせる。通常の片面印刷の場合は、画像が記録されたシートは、シート巻取りユニット１１３による巻取りを行わせずに仕分けユニット１１４に搬送される。
【００４３】
このように、両面印刷の際は、シート巻取りユニット１１３を用いてシートの巻取りを行い、シートを反転させて裏面の記録を行うため、片面印刷のときと両面印刷のときとでは仕分けユニット１１４への排紙の際のシートの面が異なる。即ち、片面印刷の場合はシート巻取りユニット１１３を用いたシートの反転が行われないので、先頭ページの画像が記録されたシートは先頭ページの画像が下を向いた状態で排紙される。そして、１つの印刷ジョブが複数ページあるジョブの場合、先頭ページのシートからトレーに排紙され、以後後続のページへと順次排紙されシートが重なっていく。このような排紙をフェイスダウン排紙と呼ぶ。
【００４４】
一方、両面印刷の場合はシート巻取りユニット１１３を用いたシートの反転が行われるので、先頭ページの画像が印刷されたシートは先頭ページの画像が上を向いた状態で排紙される。そして１つの印刷ジョブが複数枚のシートの出力を行うジョブの場合、最後のページを含むシートからトレーに排紙され、以後若いページのシートへと順次排紙されシートが重なっていき、最終的に先頭ページの画像が印刷されたシートが排紙される。このような排紙をフェイスアップ排紙と呼ぶ。
【００４５】
操作ユニット１１５は、ユーザが種々の操作を行ったり、ユーザに種々の情報を通知したりするためのユニットである。例えば、ユーザに指定された画像が記録されたシートはどこのトレーに積載されているか、あるいは当該画像が記録中か記録終了かなど、オーダ毎の記録状況の確認が可能である。また、インク残量や、シートの残量等、装置の各種状態の確認、ヘッドクリーニング等の装置メンテナンスの実施の指示を行うためにユーザが操作／確認可能である。
【００４６】
図２は、図１で示した記録装置における制御構成を示すブロック図である。図２において、記録装置２００は図１に示した記録装置である。
【００４７】
図２に示すように、ＣＰＵ２０１、ＲＯＭ２０２、ＲＡＭ２０３、画像処理部２０７、エンジン制御部２０８、スキャナ制御部２０９が主に制御ユニット１０８に含まれる。そして、制御ユニット１０８にＨＤＤ２０４、操作部２０６、外部Ｉ／Ｆ２０５などがシステムバス２１０を介して接続される。
【００４８】
マイクロプロセッサ（マイクロコンピュータ）形態のＣＰＵ２０１は、図１の制御ユニット１０８に含まれる。ＣＰＵ２０１は、プログラムの実行やハードウェアの起動により記録装置２００全体の動作を制御する。ＲＯＭ２０２は、ＣＰＵ２０１が実行するためのプログラムや記録装置２００の各種動作に必要な固定データを格納する。ＲＡＭ２０３は、ＣＰＵ２０１により作業領域として用いられたり、種々の受信データの一時格納領域として用いられたり、各種設定データが記憶される。ＨＤＤ２０４は、ＣＰＵ２０１が実行するためのプログラム、画像データ、記録装置２００の各種動作に必要な設定情報を書き込んだり、読み出たりすることが可能である。なお、ＨＤＤ２０４に代えて、他の大容量記憶装置、例えば、半導体記憶装置（ＳＤＤ）を用いることも可能である。
【００４９】
操作部２０６は、ユーザが種々の操作を行うためのハードキーやタッチパネル、またユーザに種々の情報を提示（通知）するための表示部を含み、図１の操作ユニット１１５に対応するものである。また、ユーザへの情報の提示は音声発生器からの音響情報に基づく音響（ブザー、音声等）を出力することによっても行うこともできる。
【００５０】
画像処理部２０７は、記録装置２００で扱う画像データ（例えば、ＰＤＬで記述されたデータ）の解釈やビットマップデータへの展開（変換）や画像処理を行う。入力された画像データを表現する色空間（例えば、ＹＣｂＣｒ）を、標準的なＲＧＢ色空間（例えば、ｓＲＧＢ）に変換する。また、画像データに対し、有効な（記録装置２００が記録可能な）画素数への解像度変換、画像解析、画像補正等、様々な画像処理が必要に応じて施される。これらの画像処理によって得られた画像データは、ＲＡＭ２０３または、ＨＤＤ２０４に格納される。
【００５１】
エンジン制御部２０８は、ＣＰＵ２０１等から受信した制御コマンドに応じて、画像データに基づく画像をシート上に記録する処理を制御する。具体的には、各色インクに対応した記録ヘッド１０６へのインク吐出指示や、記録媒体上でのドット位置（インクの付着位置）を調整するための吐出タイミング設定、ヘッド駆動状態取得に基づく調整等を実行する。さらに、画像データに応じて記録ヘッドの駆動制御を行い、記録ヘッドからインクを吐出させシート上に画像を形成させる。またさらに、給紙ローラの駆動指示、搬送ローラの駆動指示、搬送ローラの回転状況取得等を行う等、搬送ローラの制御を行い、シートを適切な速度及び経路で搬送および停止させる。
【００５２】
スキャナ制御部２０９は、ＣＰＵ２０１等から受信した制御コマンドに応じて、イメージセンサの制御を行い、シート上の画像を読取り、赤（Ｒ）、緑（Ｇ）および青（Ｂ）色のアナログ輝度データを取得し、これをデジタルデータに変換する。イメージセンサとしては、ＣＣＤイメージセンサやＣＭＯＳイメージセンサ等を採用可能である。また、イメージセンサはリニアイメージセンサとしてもエリアイメージセンサとしてもよい。また、スキャナ制御部２０９は、イメージセンサの駆動指示、該駆動に基づくイメージセンサの状況取得を行い、イメージセンサから取得した輝度データを解析し、記録ヘッド１０６からのインクの不吐やシートの切断位置の検出等を行う。スキャナ制御部２０９で画像が正しく記録されていると判定されたシートは、シート上のインクの乾燥処理が施された後に、指定された仕分けユニットのトレーに排紙される。
【００５３】
ホスト装置２１１は、上述した外部装置に対応し、記録装置２００と外部接続され、記録装置２００に記録を行わせるための画像データの供給源となる装置であり、種々の印刷ジョブのオーダを発行する。
【００５４】
ホスト装置２１１は、汎用のパーソナルコンピュータ（ＰＣ）として実現してもよいし、他のタイプのデータ供給装置としてもよい。他のタイプのデータ供給装置としては、画像をキャプチャーして画像データを生成する画像キャプチャー装置がある。画像キャプチャー装置は、原稿上の画像を読取って画像データを生成するリーダ（スキャナ）、ネガフィルムやポジフィルムを読取って画像データを生成するフィルムスキャナなどである。また、画像キャプチャー装置の他の例として静止画を撮影してデジタル画像データを生成するデジタルカメラ、動画を撮影して動画像データを生成するデジタルビデオもある。その他、ネットワーク上にフォトストレージを設置したり、着脱可能な可搬性メモリを挿入するソケットを設けたりし、フォトストレージや可搬性メモリに格納された画像ファイルを読み出して画像データに生成して記録するものとしてもよい。
【００５５】
また、汎用的なＰＣに代え、記録装置専用の端末とするなど、種々のデータ供給装置としてもよい。これらのデータ供給装置は記録装置の構成要素としてもよいし、記録装置の外部に接続した別の装置としてもよい。また、ホスト装置２１１をＰＣとした場合、ＰＣの記憶装置に、ＯＳ、画像データを生成するアプリケーションソフトウェア、記録装置２００用のプリンタドライバがインストールされる。
【００５６】
プリンタドライバは、記録装置２００を制御したり、アプリケーションソフトウェアから供給された画像データを記録装置２００が扱える形式に変換して画像データを生成したりする。また、画像データから記録データへの変換をホスト装置２１１側で行ってから記録装置２００に供給するようにしてもよい。なお、以上の処理の全てをソフトウェアで実現することは必須ではなく、一部または全部をハードウェアによって実現するようにしてもよい。ホスト装置２１１から供給される画像データやその他のコマンド、更にステータス信号等は、外部Ｉ／Ｆ２０５を介して記録装置２００と送受信可能である。外部Ｉ／Ｆ２０５はローカルＩ／ＦであってもネットワークＩ／Ｆであってもよい。また、外部Ｉ／Ｆ２０５は、有線による接続であっても無線による接続であっても構わない。
【００５７】
記録装置２００内の上記した各構成要素はシステムバス２１０を介して接続され、互いに通信可能である。
【００５８】
なお、以上の例では、１つのＣＰＵ２０１が図２に示した記録装置２００内の全ての構成要素を制御するものとしたが、この構成以外の構成も可能である。例えば、各機能ブロックのいくつかが別途ＣＰＵを備え、それぞれのＣＰＵによって個別に制御するものとしてもよい。また、各機能ブロックは図２に示した構成以外の分担のさせ方により個別の処理部または制御部として適宜分割したり、いくつかを統合したりするなど、種々の形態を採用可能である。また、メモリからのデータの読み出しにはＤＭＡＣも用いることもできる。
【００５９】
図３はシートに記録される画像と記録品位保持パターンの一例を示す図である。
【００６０】
この実施例では、シートに画像を記録する際に、画像データと記録品位保持パターンのデータを組み合わせた記録データを作成して記録を行う。その際の記録データの構成と、その特性について説明する。
【００６１】
図３は記録データがシートに記録される状態を図示している。図３に示すようにシートに対して記録を行う前に記録装置が記録する画像のレイアウトを作成する。図３はその画像レイアウトの１例を示している。後述する記録データのレイアウトが図３のような配置の画像が記録されるようにデータを作成する。
【００６２】
図３において、３０１は記録装置のエンジン制御部２０８などを用いて処理が行われ記録を行うシート、３０２はエンジン制御部２０８によってシート３０１に記録される画像のレイアウト、３０３は記録品位保持のパターン（以下、予備吐パターン）である。図３に示す画像配置は一例に過ぎず、画像処理部２０７等において画像のレイアウトが決定される。図３の例は、シート３０１の幅に対して同様な画像サイズを記録した場合の例である。
【００６３】
図３に示すように、予備吐パターン３０３は画像３０２の間に挟まるようにレイアウトされている。予備吐パターンの記録は、画像３０２の記録に全ての記録ヘッドのノズルが使用されているかわからないため、次の画像を記録する前に、記録品位を保持するために行う処理である。そのため、図３からわかるように画像３０２の間に予備吐パターン３０３がレイアウトされている。このようにすることで画像３０２を一つ記録するたびに、予備吐パターン３０３を記録する事で記録ヘッドの状態をリセットし、次の画像３０２を、高品位に記録することができる。
【００６４】
さらに３０４、３０５、３０６は同じノズルを使用する画素を示しており、画素３０４は予備吐パターンの一画素を示し、画素３０５、３０６は各々画像の中の画素を示している。この例では、画素３０４、３０５、３０６の間ではこれらの画素の記録に用いられたノズルは使用していないものとする。この場合、画素３０５と画素３０６との間では予備吐による画素３０４の記録以外はノズルを使用しないことになる。そのため、画素３０５の記録にノズルが使用された後、画素３０４を記録せずに画素３０６を記録した場合と、予備吐パターンの記録で画素３０４の記録に一度ノズルを使用後に画素３０６を記録する場合とでは記録品位の面では後者がより高品位となる。
【００６５】
また、この場合に画素３０４を記録せずとも画素３０５と画素３０６との間が十分に記録品位が保てる距離であった場合には予備吐パターンで画素３０４の記録を行う必要がなくなる。こうすると予備吐パターンを画像の間に配置しなくてもよい場合が画像３０２の状態によっては発生する。それらの具体例と効果を次に示す。
【００６６】
図４は図３で説明した記録データが実際にシートに記録される例を示す図である。
【００６７】
図４において、（ａ）は記録ヘッド３０７（図１のヘッドユニット１０５に相当）からシート３０８にインク３１２を吐出して画像３０９、３１０、３１１を記録する様子を示している。（ａ）の状態は、吐出されたインク３１２により画像３０９を記録している時点を示している。図３と図４とを関係づけると、画像３０９、３１１は画像３０２に対応し、画像３１０は予備吐パターン３０３に対応している。
【００６８】
このような関係において、図３で予備吐パターン３０３を記録しなかった場合には、図４（ａ）において、予備吐パターンの画像３１０の記録を省略した場合と同等となる。つまり、図４（ｂ）に示すように画像３１１の次に画像３０９を前にずらして記録する事になる。これは、図４（ａ）の予備吐パターンの画像３１０がなかった場合は、図４（ｃ）で示すように、画像３０９はすでに記録が終了し、次に画像３１３の記録に進んでいる状態になる。
【００６９】
その結果、予備吐パターンが少ないほど、記録できる画像は増加し、また単位時間における画像記録数も増える。つまり、予備吐パターンを削減することは記録スループットの向上につながる。つまり、画像品位向上のために予備吐パターンを記録する必要がある一方で、記録のスループットが低下するというデメリットが生じることがわかる。従って、状況に応じて予備吐パターンの記録を削減することが記録スループット向上のために効果的であると言える。
【００７０】
＜記録処理＞
１．全体概要
図５は記録処理の概要を示すフローチャートである。
【００７１】
まず、ステップＳ４０１では記録装置は、接続されたＰＣ等からジョブと呼ばれる印刷指示データであるジョブデータを受信する。このジョブデータ受信の詳細は図６を参照して後述する。
【００７２】
ジョブデータを受信後、ステップＳ４０２では、記録データを作成する。印刷ジョブについてはジョブ毎に属性が異なるが、この実施例での記録は連続シートへの記録であるため、連続シートへの記録用にジョブの画像データを再配置して、画像処理を行ってから記録を実行する必要がある。そのため、受信ジョブデータに基づいて記録データを作成するのである。また、図３〜図４で示した予備吐パターンの配置についてはステップＳ４０２における記録データ作成時に画像間に配置することで対応する。この詳細な説明は図７を参照して後述する。
【００７３】
ステップＳ４０３では、ステップＳ４０２において作成した記録データに基づいてシートに画像を記録する。
【００７４】
このようにして、記録装置はシートに対して受信したジョブを連続的に記録する事ができる。
【００７５】
２．ジョブデータ受信の詳細
図６は図５のステップＳ４０１のジョブデータ受信の詳細な処理を示すフローチャートである。
【００７６】
まず、ステップＳ５０１では、記録装置がジョブ受信可能かどうか確認する。ここで、ジョブ受信可能でなければジョブ受信可能になるまで処理を待ち合わせる。そして、ジョブ受信可能となった場合に、記録装置はジョブ受信を自動的に開始する。記録装置にとって、ジョブ受信は受動的なものであるため、図６にジョブ受信のステップは記載されていないが、このタイミングでジョブ受信を行う。
【００７７】
次にステップＳ５０２では、１ジョブ分のデータを受信終了したかどうかを確認する。ここで、１ジョブ分が受信終了まで処理を待ち合わせ、１ジョブ分のデータ受信終了を確認した時点で処理はステップＳ５０３に進む。ステップＳ５０３では、受信した１ジョブのデータに対して、ＲＩＰ処理を実行する。このＲＩＰ処理によって、ジョブに含まれる画像データが画像処理される。ここでジョブ内の画像を１画像ずつに分けて、連続シートに記録するのに使用する。
【００７８】
その後、処理はステップＳ５０４において、ＲＩＰ処理後の画像データを用いてシートに記録させる順番で画像毎に、対応する画像データを一時保存領域に保存する。この実施例では、一時保存領域はＨＤＤ２０４にパーティションを設けて一時保存領域として専用の領域を設けて使用する。しかし、同様の目的を達成できるのであれば、他の方法を用いても良い。
【００７９】
次にステップＳ５０５では、ステップＳ５０４において一時保存領域に保存した画像データ群の情報に基づいて、記録の開始条件を満たしているかを調べる。この実施例では一時保存領域に、用意された連続シートの長さに相当する画像データが保存された場合に、記録開始条件を満たすとしている。しかしながら、このフローチャートに示すように、記録開始条件を満たすのであれば、前記条件の限りではない。ここで、まだ記録開始条件を満たしていないと判断された場合には、処理はステップＳ５０２へ戻る。これに対して、印刷開始条件を満たしていると判断された場合には、この処理を終了する。
【００８０】
そして、処理は図５に示したステップＳ４０２の処理に進む。
【００８１】
３．記録データ作成の詳細
図７は図５のステップＳ４０２の記録データ作成の詳細な処理を示すフローチャートである。図６を参照して説明したように、一時保存領域に記録用の画像データが保存されている。そして、その保存データ量が記録開始条件を満たした場合、以下の処理を実行して記録データを作成する。
【００８２】
まず、ステップＳ６０１では、画像の番号Ｎを初期化してＮ＝１とする。次にステップＳ６０２では、一時保存領域のＮ番目の画像を表現する画像データを記録データとして追加する。この追加は、記録データとして別に保存領域を設け、そこに追加した事を意味しており、そのデータをそのまま記録に用いることを想定したデータ群となっている。ステップＳ６０２で記録データにＮ番目の画像を表現する画像データを追加した後、処理はステップＳ６０３において、画像Ｎの後に予備吐パターンが必要であるかを確認する。
【００８３】
この条件判断における条件については、図８／図１２を参照して後で詳細に説明する。図８／図１２に示した条件により、予備吐パターンの記録が必要であると判断されたら、処理はステップＳ６０４へ進む。ステップＳ６０４では、予備吐パターンを記録データに追加する。どのように予備吐パターンを追加するかについては、後で図１７を参照して詳細に説明する。
【００８４】
ステップＳ６０４では、画像Ｎに対応する画像データを記録データに追加後、その結果に応じて予備吐パターンのデータが追加される。その追加後、処理はステップＳ６０５に進む。一方、ステップＳ６０３において予備吐パターンの記録が不要と判断された場合には、処理はそのままステップＳ６０５に進む。
【００８５】
ステップＳ６０５では、一時保存領域に保存されている画像データの内、Ｎ番目の画像に対応する画像データを「処理済」に変更する。これは一時保存領域に保存されている画像データには「処理前」か「処理済」かの情報が付加されており、この情報を「処理済」にする事で、記録データにその画像データが使用されて配置されている事を示す。
【００８６】
次にステップＳ６０６では、一時保存領域の画像データの内、「処理済」になっていない画像データがあるかどうかを確認する。ここで、一時保存領域に「処理前」の画像データがなければこの処理を終了する。これに対して、まだ「処理前」の画像データがあれば、処理はステップＳ６０７に進み、Ｎの値を＋１インクリメントして、ステップＳ６０２に戻る。
【００８７】
このようにして、一時保存領域に保存された画像データを記録データに予備吐パターンも含めて配置していく事ができる。
【００８８】
４．予備吐出の要／不要の判断
（１）シートの幅方向に１つの画像を記録する場合
図８は各画像を記録する場合に画像品位保持用の吐出パターンの記録が必要か不必要かの条件判断を行う処理を示すフローチャートである。このフローチャートは、図７のステップＳ６０３において予備吐が必要か否かを判別する条件を判断する処理の詳細を示している。この説明で、Ｎは図７で言及した画像の順番として同じものを指す。
【００８９】
まず、ステップＳ７０１では、Ｎ番目の画像とＮ−１番目の画像の記録幅が同じであり、かつその記録幅が用紙幅と同じであるという条件を満たすかどうかを調べる。
【００９０】
図９はＮ番目の画像（画像Ｎ）とＮ−１番目の画像（画像Ｎ−１）との記録幅とシートの幅との具体的な関係を示す図である。
【００９１】
図９において、（ａ）はＮ番目の画像とＮ−１番目の画像の記録幅が同じであり、かつこれらの記録幅が記録方向に対して垂直な方向であるシートの幅と同じである例を示す。ただし、図９（ａ）から分かるように、画像の記録幅とシート幅との間には少しの隙間がある。これは、実際にはシート幅に少しの余白を持たせて記録し、その後にカッタなどでカットする事が多いため、実際には端部余白がある場合でも同じ幅とみなす判断をするためである。
【００９２】
さらにシート幅と画像の記録幅について説明を続ける。
【００９３】
図９（ｂ）や図９（ｃ）に示すように、シート幅に対して短い幅の画像を記録する場合には、ステップＳ７０１の条件を満たさない。この場合、処理はステップＳ７０５に進み、「画像Ｎの後は部分予備吐パターンの記録が必要」という情報を保存する。尚、部分予備吐パターンについては後述する。この情報については図１６に示すフローチャートの説明で再び言及する。
【００９４】
さて、ステップＳ７０１の条件を満たす場合、処理はステップＳ７０２において、Ｎ番目の画像の記録前のＮ−１番目の画像の記録時に予備吐パターンが必要ない程度に記録ヘッドを使用しているかどうかを調べる。ここで、この条件を満たす場合、処理はステップＳ７０３に進み、「画像Ｎの記録後は予備吐が不要」という情報を保存する。これに対して、ステップＳ７０２の条件を満たさない場合、処理はステップＳ７０４に進み、「画像Ｎの記録後は通常予備吐パターンが必要」という情報を保存する。
【００９５】
具体的に示すと、例えば、ステップＳ７０２では作成した記録データに基づいて、各ノズルがどれくらいの時間使用されない時間があるかを計測することができる。そこで、その未使用時間が一定の時間を超えた場合には、この条件を満たすとできる。尚、ステップＳ７０３、Ｓ７０４、Ｓ７０５夫々において保存された情報によって、図７のステップＳ６０３における予備吐パターンが必要か不要かを判断する。
【００９６】
ここで、通常予備吐パターンの記録や部分予備吐パターンの記録が必要とされた場合には、ステップＳ６０３において予備吐パターンの記録が必要と判断する。
【００９７】
図１０は通常予備吐パターンと部分予備吐パターンとを示す図である。
【００９８】
図１０に示すように、通常予備吐パターン１５０１は、シートと同じ幅の予備吐パターンであり、対応する部分の全てのノズルから予備吐出を行う。なお、図３に図示した予備吐パターンも同様に通常予備吐パターンとなる。一方、部分予備吐パターン１５０２は、記録された画像の横の非記録領域に対して予備吐パターンを記録するパターンであり、対応する全てのノズルから予備吐出を行う。部分予備吐パターン１５０２は画像とつながって記録されるが、この実施例のようなシートに記録する場合には実際には画像の四辺をカッタで切断するため、画像と予備吐パターンがつながっていても問題がない。
【００９９】
図１１はシート幅と画像の記録幅との具体的な関係の例を示す図である。図１１において、９０１は画像Ｎの記録幅、９０２は画像Ｎ−１の記録幅、９０３は記録に用いられるシートの幅、９０４、９０５は夫々余白をあらわしている。
【０１００】
図８のステップＳ７０１において「シート幅と記録幅が同じであるか」という条件があるが、実際には図１１に示すようにシート幅と画像Ｎの記録幅の間には余白９０４、９０５が存在している。これは実際の記録では、このような余白を含めてシート幅と画像Ｎの記録幅を同じとみなして記録を行う実情があるためである。シートへの記録では記録後にカッタ等を用いて余白を切ることで実際の画像Ｎを切り出す。そのため、ステップＳ７０１で示したシート幅と画像Ｎの記録幅が同じか否かの条件判断の際に、図１１に示す余白のようなマージンを入れて条件とする場合もある。なお、画像Ｎ−１の記録幅９０２にように余白としては大きすぎる場合には、シート幅と画像の記録幅を同じとはみなさない。
【０１０１】
（２）シートの幅方向に複数の画像を記録する場合
図１２は複数画像を記録する場合に画像品位保持用の吐出パターンの記録が必要か不必要かの条件判断を行う処理を示すフローチャートである。この処理は、基本的に図８で説明したのと同じであるが、図８に示す処理と異なる点は、シートの記録方向と垂直方向に複数の画像が配置されている点にある。ここではそれを画像群と定義する。
【０１０２】
図１３は画像群の具体的な例を示す図である。
【０１０３】
図１３において、１１０１や１１０２が画像群を示し、例えば、１１０１を画像群Ｎとすると、１１０２は画像群Ｎ＋１となる。図１２ではこのように記録方向と垂直な方向に複数画像を配置する場合に、予備吐パターンが必要か不要かについて判断する処理を示している。
【０１０４】
まず、ステップＳ１００１では、Ｎ番目の画像群とＮ−１番目の画像群の記録幅が同じであり、かつ、これらの記録幅がシート幅と同じであるかどうかを調べる。
【０１０５】
図１４はＮ番目の画像群（画像群Ｎ）とＮ−１番目の画像群（画像群Ｎ−１）との記録幅とシートの幅との具体的な関係を示す図である。
【０１０６】
図１４（ａ）はＮ番目の画像群（画像群Ｎ）とＮ−１番目の画像群（画像群Ｎ−１）の記録幅が同じであり、かつ、これらの記録幅が記録方向に対して垂直方向であるシート幅と同じである例を示している。ただし、図１４（ａ）から分かるように、画像群とシートとの間には隙間がある。
【０１０７】
図１３に示すように実際には画像を複数、配置しているため、各画像間に少しの余白を持たせて記録し、その後にカッタなどでカットする事が多い。このため、実際には余白がある場合でも、それらを含めて幅計算を行い、実際には端部余白がある場合でも同じ幅とみなす判断をするためである。
【０１０８】
さらにシート幅と画像の記録幅について説明を続ける。
【０１０９】
図１４（ｂ）と図１４（ｃ）に示すように、シート幅に比較して短い画像群を記録する場合、ステップＳ１００１の条件は満たさない。この場合、処理はステップＳ１００５に進み、「画像群Ｎの記録後は部分予備吐パターンの記録が必要」という情報を保存する。この情報は、図１６に示すフローチャートの説明で再び言及する。
【０１１０】
さてステップＳ１００１に示す条件を満たす場合、処理はステップＳ１００２に進み、Ｎ番目の画像群の記録前のＮ−１番目の画像群の記録時に予備吐パターンの記録が必要ない程度に記録ヘッドを使用しているかという条件を満たしているかどうかを調べる。
【０１１１】
ここで、その条件を満たしていると判断される場合、処理はステップＳ１００３に進み、「画像群Ｎの記録後は予備吐パターンの記録は不要」という情報を保存する。これに対して、ステップＳ１００２の条件を満たしていないと判断される場合、処理はステップＳ１００４に進み、「画像群Ｎの記録後は通常予備吐パターンが必要」という情報を保存する。
【０１１２】
ステップＳ１００３、Ｓ１００４、Ｓ１００５において保存された情報によって、図７のステップＳ６０３における予備吐パターンが必要か不要かを判断する。ここで、通常予備吐パターンや部分予備吐パターンが必要とされた場合には、ステップＳ６０３において予備吐パターンの記録が必要と判断する。
【０１１３】
図１５はシート幅と画像群の記録幅との具体的な関係の例を示す図である。図１５において、１３０１は画像群Ｎを構成する画像の記録幅、１３０２は画像群Ｎ−１を構成する画像の記録幅、１３０３は記録に用いられるシートの幅、１３０４、１３０５は夫々余白をあらわしている。
【０１１４】
図１２のステップＳ１００１にはシート幅と画像群の記録幅が同じであるか、という条件があるが、実際には図１５に示すようにシート幅と画像群Ｎの記録幅との間には余白１３０４、１３０５が存在している。これは実際の記録では、このような余白を含めてシート幅と画像群Ｎの記録幅を同じとみなして記録を行う実情があるためである。シートへの記録後にカッタ等を用いて余白を切ることで実際の画像群Ｎを切り出す。さらに、画像毎に切り出しを行う。そのため、ステップＳ１００１で示したシート幅と画像群Ｎの記録幅が同じか否かの条件判断の際に、図１５に示す余白のようなマージンを入れて条件とする場合もある。なお、画像群Ｎ−１の記録幅１３０２にように余白としては大きすぎる場合には、シート幅と画像の記録幅を同じとはみなさない。
【０１１５】
（３）予備吐出の種類の判断
図１６はどのような種類の予備吐出が必要かを判断する処理を示すフローチャートである。この処理は前述したように図７のステップＳ６０４の詳細な説明となる。
【０１１６】
まず、ステップＳ１４０１では、どのような予備吐が必要であるかを調べる。これは、図８／図１２に示したフローチャートの処理に従って保存された通常予備吐パターンが必要か、部分予備吐パターンが必要かという情報から判断する。
【０１１７】
ステップＳ１４０１において通常予備吐パターンの記録が必要と判別された場合には、処理はステップＳ１４０２に進み、記録データにおいて通常予備吐パターンのデータを画像Ｎ（画像群Ｎ）に対応する画像データの後に追加する。
【０１１８】
これに対して、ステップＳ１４０１において、部分予備吐パターンの記録が必要と判別された場合には、処理はステップＳ１４０３に進み、部分予備吐パターンを記録データに追加する。
【０１１９】
なお、部分予備吐パターンの追加の詳細な処理については図１７を参照して後述する。このようにして、画像Ｎ（画像群Ｎ）に対応する画像データの後に予備吐パターンのデータを追加した記録データが作成される。
【０１２０】
図１７は画像間でどのような画像品位保持用のパターンの記録するのかを判断する処理を示すフローチャートである。この処理は図１６のステップＳ１４０３の詳細を説明するものであり、この処理に従って、予備吐パターンのデータを記録データに追加していく。なお、この説明において、Ｎは図７で使用した画像の順番と同じものである。なお、ここでは、図１３に示したような画像群を例として説明するが、画像が一枚でもこれを画像群とみなして同様の処理を実行すれば良い。
【０１２１】
まずステップＳ１６０１では、画像群Ｎの注目領域を定義する。
【０１２２】
図１８Ａ〜図１８Ｈは注目領域の具体例を示す図である。ここで、注目領域として定義している部分に含まれる画像群がここで示す画像群Ｎとなる。言い換えると、画像群Ｎの配置されている領域がここで定義する注目領域となる。
【０１２３】
また、図１８Ａ〜図１８Ｈは画像品位保持用のパターンが画像に対してどのように配置されるのかの具体例も示している。
【０１２４】
次にステップＳ１６０２では、シートの注目領域に対して記録領域と非記録領域を定義する。具体例は図１８Ａ〜図１８Ｈに図示の通りである。以降の図も同様であるが、例えば、図１８Ａにおいて、破線で囲んだ注目領域の中（１７０１）に記録する画像があるかないかで記録領域、非記録領域を定義する。即ち、先に定義した注目領域に対して、画像を記録している領域を記録領域、画像を記録していない領域を非記録領域とする。
【０１２５】
また、図１８Ｂは注目領域の前には予備吐パターンがない場合を示している。図１８Ｃは非記録領域の一部が部分予備吐パターンになっている状態を示している。同様に、図１８Ｄ〜図１８Ｈまで注目領域に対して記録領域、非記録領域がどうなるかについての具体例を示している。
【０１２６】
さらに、図１８Ａ〜図１８Ｈにおいて灰色の四角で示している領域は印刷ジョブを受信して画像処理を施した画像を示しており、白い四角で示しているものは予備吐パターンを示している。このようにステップＳ１６０２では、記録領域と非記録領域を定義する。なお、図示の例では、非記録領域と記録領域が１つずつ存在する例を図示しているが、夫々が複数存在しても良い。
【０１２７】
また、記録領域については、写真のフチなしやアルバムのページ、カレンダーの端など、記録を実際に行わなくてもユーザに対して必要な領域は記録領域とする。一方、非記録領域とした場合においても、トンボなどの実際には捨てられしまう領域を非記録領域としてみなして対応する事ができる。
【０１２８】
図１９は記録領域の条件設定に用いる操作画面の例を示す図である。図１９に示すように、記録領域、非記録領域の条件は装置で設定することが可能である。
【０１２９】
さて、ステップＳ１６０３では、画像群Ｎの注目領域内の記録領域に画像を記録した場合に、次に予備吐パターンの記録が必要かどうかを調べる。これは、画像群Ｎの画像データを解析し、画像群Ｎを記録後、予備吐パターンがないと画像品位を保持できない場合の事を指している。例えば、画像が記録方向に対して平行に非常に長いものや、画像自体が白に近く未使用ノズルが多数あり、かつ、長時間使用しない場合などを挙げられる。
【０１３０】
前述のように、インクジェット記録ではノズルを長時間使用しない（吐出しない）場合には画像品位が保てなくなる可能性があるので予備吐パターンを画像間に挿入する事になる。上記理由により、予備吐パターンが記録領域の後に記録することが必要であると判断された場合、処理はステップＳ１６１０に進み、通常予備吐パターンを画像群Ｎの記録後に追加する。例えば、図１８Ａは、その具体例を示しており、注目領域の後に通常予備吐パターンを追加している例を表している。
【０１３１】
これに対して、ステップＳ１６０３において、記録領域の画像群Ｎの画像データの記録のみで画像品位を保持するのに十分であり、予備吐パターンの記録はが必要ないと判断された場合には、処理はステップＳ１６０４に進む。
【０１３２】
ステップＳ１６０４では、画像群Ｎの非記録領域の前に予備吐パターンが記録されているかどうかを確認する。図１８Ａの例で説明すると、注目領域の非記録領域の上部に白い四角が配置されている。これは通常予備吐パターンを指している。図１８Ａにおける記録方向は上から下への方向のため、非記録領域の前に図１８Ａでは、予備吐パターンが記録されていると判断（ステップＳ１６０４においてＹＥＳ）される。これに対して、図１８Ｂのように注目領域の非記録領域に対してその上部が画像となっている場合、予備吐パターンが記録されていないと判断（ステップＳ１６０４においてＮＯ）される。
【０１３３】
ステップＳ１６０４において、予備吐パターンが記録されていると判断された場合、処理はステップＳ１６０５に進む。
【０１３４】
ステップＳ１６０５では画像群Ｎの注目領域内の非記録領域の長さは次に予備吐パターンが必要な長さであるかどうかを調べる。前述のように、ノズルを一定期間使用しない場合には画像品位を保つことができない。非記録領域については、記録可能だが記録のための画像データがない領域のため、ノズルはこの領域を通過する場合に一切使用しない状態となる。そのため、非記録領域が長く続いた場合には、ノズルを長く使わない状態となるため、次に記録を行う際に画像品位を保持するためにパターンの記録が必要となる。ここでは、非記録領域の長さが次の記録時に予備吐パターンを記録して画像品位の保持を行う必要があるかどうかを調べる。予備吐パターンの記録の必要がないと判断された場合、処理はステップＳ１６０６に進み、予備吐は必要なしと判断され、この処理を終了する。
【０１３５】
一方、ステップＳ１６０５において予備吐パターンの記録が必要であると判断された場合、処理はステップＳ１６０７に進み、非記録領域に対して部分予備吐パターンを記録する。例えば、図１０の１５０２に示すように、注目領域の非記録領域に対して非記録領域が終わる辺りに、次の画像記録を妨げることなく予備吐パターンを配置する。このようにして、画像間の余白を予備吐パターンに妨げられることなく出来るだけ短い幅にして記録する事が可能となり、記録スループットの向上に貢献する。
【０１３６】
これに対して、ステップＳ１６０４において、予備吐パターンが記録されていないと判断された場合、処理はステップＳ１６０８に進み、非記録領域において、非記録領域の以前の記録内容を確認する。例えば、図１８Ｄでは、記録方向に関し、注目領域に対する非記録領域の前には通常予備吐パターンが記録されている。更にその前には画像が記録されている。このように、非記録領域の前に何が記録されているか確認するためには非記録領域の開始位置の前から何があるか確認する必要がある。
【０１３７】
このため、ステップＳ１６０９では、画像群Ｎの記録開始位置より前の記録データを遡って非記録領域を分割し、予備吐パターンのデータを追加する。即ち、ステップＳ１６０８で確認したデータに従い、注目領域の非記録領域を分割し、分割した領域ごとに予備吐パターンの記録が必要か不要かを調べ、部分予備吐パターンのデータを追加する。
【０１３８】
図２０はステップＳ１６０９の詳細な処理、即ち、非記録領域において画像品位保持用のパターンがどのように配置されるのかを決定する処理を示すフローチャートである。
【０１３９】
また、図２１は、注目領域の非記録領域に関し、記録方向に対して垂直方向に複数の記録状態がある様子を示す図である。図２１（ａ）は、ステップＳ１６０８で注目領域の非記録領域１９０４に関して画像データを調べ、画像を確認した場合に記録方向に対して垂直方向に複数の状態がある場合を指している。
【０１４０】
この処理では非記録領域に対して部分予備吐パターンを配置し、必要な領域のみ予備吐パターンを記録することでインクの無駄使いとならないようにすることを目的とするものである。図２０に示すフローチャートに従って処理を実行することで、画像間でどのような画像品位保持用のパターンを使用するかを決定する。
【０１４１】
ステップＳ１８０１では、非記録領域において、以前の記録データを確認する。これは図１７で説明した画像群Ｎの非記録領域より前に記録する記録データの確認を行うという事を指している。具体的に図２１（ａ）を参照して言えば、注目領域１９０１に対して、確認する領域を確認領域１９０２とするなら、この確認領域の記録データに何があるかを確認する。
【０１４２】
次にステップＳ１８０２では、非記録領域を画像や予備吐パターンなどの記録データがある毎に分割を行う。図２１（ｂ）は、図２１（ａ）に示す非記録領域を分割した例を示している。図２１（ｂ）に示すように非記録領域は１〜３の３つの領域に分割される。図２１（ａ）の例から分かるように、確認領域１９０２には画像が２つ、予備吐パターンが１つ存在している。ステップＳ１８０２では、これらの境界に合わせて分割処理を行うので、３つの領域への分割が発生するのである。これは、この分割境界ごとにノズルの使用され方が大きく変わるためである。
【０１４３】
非記録領域１では注目領域のすぐ前に画像が記録されているが、非記録領域３は注目領域よりかなり前に予備吐パターンが記録され、その後に記録はない。そのため、非記録領域３は１に比べて予備吐パターンが必要な確率が高い。分割された各非記録領域に対して予備吐パターンが必要か否かを判断する。また、分割数をＭｍａｘと定義する。
【０１４４】
図２０に戻って説明を続けると、ステップＳ１８０３では、分割された非記録領域を指すパラメータＭをＭ＝１と初期化する。
【０１４５】
次に処理はステップＳ１８０４において、画像群Ｎの非記録領域Ｍの終端と以前の記録データにより記録がなされた領域までの長さは、次に予備吐パターンの記録が必要な長さであるかどうかを確認する。ここで、予備吐パターンの記録が必要であると判断された場合、処理はステップＳ１８０６において非記録領域Ｍの終端部で次の画像が来る前の位置に部分予備吐出パターンのデータを非記録領域Ｍの幅だけ追加し、ステップＳ１８０７に進む。これに対して、予備吐パターンの記録が必要でないと判断された場合、処理はステップＳ１８０５に進み、非記録領域Ｍには部分予備吐パターンのデータの追加はなしとし、ステップＳ１８０７に進む。
【０１４６】
ステップＳ１８０７ではパラメータＭの値を＋１インクリメントする。次に、ステップＳ１８０８ではＭ＞Ｍｍａｘであるかどうかを調べる。ここで、 Ｍ≦Ｍｍａｘであれば、非記録領域の分割した領域全てに対して、部分予備吐パターンが必要か否かの判断をしていないと判断し、処理はステップＳ１８０４に戻り、次の非記録領域について予備吐パターンの記録が必要かどうかを調べる。これに対して、Ｍ＞Ｍｍａｘであれば、分割された非記録領域全てに対しての確認は終了したとみなし、この処理は終了する。
【０１４７】
従って以上説明した実施例に従えば、連続シートに記録を行う場合に、記録に用いるシートの幅と画像の幅ができるだけ同じであるように制御することで、フルライン記録ヘッドのノズル状態を全て良好に保つことができる。また、フルライン記録ヘッドを用いて画像幅の異なる複数の画像をシートに対して記録する場合にも、画像品位保持用のパターンの記録をできるだけ減らす事でスループットを向上させつつ、画像品質を保つことができる。
【図１】
2014079951.tif 000003
【図２】
2014079951.tif 000004
【図３】
2014079951.tif 000005
【図４】
2014079951.tif 000006
【図５】
2014079951.tif 000007
【図６】
2014079951.tif 000008
【図７】
2014079951.tif 000009
【図８】
2014079951.tif 000010
【図９】
2014079951.tif 000011
【図１０】
2014079951.tif 000012
【図１１】
2014079951.tif 000013
【図１２】
2014079951.tif 000014
【図１３】
2014079951.tif 000015
【図１４】
2014079951.tif 000016
【図１５】
2014079951.tif 000017
【図１６】
2014079951.tif 000018
【図１７】
2014079951.tif 000019
【図１８Ａ】
2014079951.tif 000020
【図１８Ｂ】
2014079951.tif 000021
【図１８Ｃ】
2014079951.tif 000022
【図１８Ｄ】
2014079951.tif 000023
【図１８Ｅ】
2014079951.tif 000024
【図１８Ｆ】
2014079951.tif 000025
【図１８Ｇ】
2014079951.tif 000026
【図１８Ｈ】
2014079951.tif 000027
【図１９】
2014079951.tif 000028
【図２０】
2014079951.tif 000029
【図２１】
2014079951.tif 000030